(57)【特許請求の範囲】
【請求項１】
調理中の汚染空気を吸い込み捕獲する吸込み口から汚染空気を屋外に排気する吐出し口に至る排気風路にフィルタ部材を配設しているレンジフードであって、
前記フィルタ部材を回転可能に具備するフィルタ清掃装置を、前記排気風路に、排気上流側と排気下流側とを仕切るように配設してなり、
前記フィルタ清掃装置は、円盤形状に形成されている前記フィルタ部材を駆動回転させる駆動手段と、
前記フィルタ部材のフィルタ面に沿わせて線状または面状に圧接させて、該フィルタ部材に付着している付着物を取り除く付着物除去手段と、を備えてなり、
前記駆動手段は、モータと、このモータの動力を前記フィルタ部材に伝達する動力伝達機構と、から構成され、
前記付着物除去手段は、前記フィルタ部材の回転中心部近傍からその外周に至る該フィルタ部材の半径直線に対して斜め線上に位置して配設されていることを特徴とするレンジフード。
【請求項２】
調理中の汚染空気を吸い込み捕獲する吸込み口から汚染空気を屋外に排気する吐出し口に至る排気風路にフィルタ部材を配設しているレンジフードであって、
前記フィルタ部材を回転可能に具備するフィルタ清掃装置を、前記排気風路に、排気上流側と排気下流側とを仕切るように配設してなり、
前記フィルタ清掃装置は、円盤形状に形成されている前記フィルタ部材を駆動回転させる駆動手段と、
前記フィルタ部材のフィルタ面に沿わせて線状または面状に圧接させて、該フィルタ部材に付着している付着物を取り除く付着物除去手段と、を備えてなり、
前記駆動手段は、モータと、このモータの動力を前記フィルタ部材に伝達する動力伝達機構と、から構成され、
前記フィルタ部材を挟み、排気風路の排気上流側に面するフィルタ面に沿わせて前記付着物除去手段を配設するとともに、前記付着物除去手段と対向する位置に、排気風路の排気下流側に面するフィルタ面に沿わせてフィルタ受け部材を配設し、
前記フィルタ受け部材は、前記フィルタ部材の回転中心部近傍からその外周に至る程度の長さを有する円筒状または円柱状に形成されて、フィルタ面への接触により前記フィルタ部材の駆動回転とともに回転することを特徴とするレンジフード。
【請求項３】
前記付着物除去手段は、前記フィルタ部材の回転中心部近傍からその外周に至る該フィルタ部材の半径直線上に位置して配設されていることを特徴とする請求項２に記載のレンジフード。
【請求項４】
前記フィルタ受け部材は、少なくともフィルタ面に接触する外周部分が弾性材料により形成されて、前記フィルタ部材の駆動回転とともに回転するときに、該フィルタ部材に設けられている汚染空気の通気口に弾性的に入り込むようにしていることを特徴とする請求項２に記載のレンジフード。
【請求項５】
前記動力伝達機構は、前記モータにより回転する第１の歯車と、
前記フィルタ部材の外周に沿って設けられて前記第１の歯車に噛合する第２の歯車と、から構成されていることを特徴とする請求項１〜４の何れかに記載のレンジフード。
【請求項６】
前記付着物除去手段は、前記フィルタ部材の回転中心部近傍からその外周に至る程度の長さに形成されて、前記フィルタ部材のフィルタ面に沿わせて線状または面状に圧接させる１乃至複数の付着物除去部材と、
この付着物除去部材を支持する支持部材と、から構成され、
前記付着物除去部材および前記支持部材の何れか一方または双方が、前記フィルタ部材側に付勢されていることを特徴とする請求項１〜５の何れかに記載のレンジフード。
【請求項７】
前記付着物除去部材は、略平面板状に形成されていることを特徴とする請求項６に記載のレンジフード。
【請求項８】
前記付着物除去部材は、油や水分の吸収作用に優れた素材からなるシート材を着脱自在に装着し得るように形成されていることを特徴とする請求項７に記載のレンジフード。
【請求項９】
前記フィルタ清掃装置は、前記フィルタ部材を回転可能に支持収容するユニットケースを備え、
前記ユニットケースは、開口中心部を、前記フィルタ部材の回転中心部と略一致させた汚染空気の通気開口部を備え、該通気開口部に、前記開口中心部からその開口円周縁に至る前記付着物除去手段の取付け部を備えてなり、
前記支持部材は、フィルタ面と平行な軸を中心に回転可能で、かつ、前記フィルタ部材側に付勢回転された状態で前記取付け部に取り付けられ、
前記フィルタ部材の駆動回転によって、前記支持部材が付勢回転方向に抗する回転方向に回転したときに、前記付着物除去部材を接触させて、該付着物除去部材から付着物を取り除くための接触部を前記取付け部に備えていることを特徴とする請求項２、請求項６〜８の何れかに記載のレンジフード。
【請求項１０】
前記支持部材に、前記フィルタ部材側に向けて突出させた回転動作凸部を備え、
前記回転動作凸部と対向する前記フィルタ部材の回転円周上に、該フィルタ部材の駆動回転によって前記回転動作凸部が乗り上げて、前記支持部材を付勢回転方向に抗する回転方向に回転させることを繰り返す回転起動凸部を備えていることを特徴とする請求項２、請求項６〜９の何れかに記載のレンジフード。
【請求項１１】
前記フィルタ部材に、親水性または撥水性の表面処理が施されていることを特徴とする請求項１〜１０の何れかに記載のレンジフード。
【請求項１２】
汚染空気を吸い込み捕獲する吸引力を発生させる送風機の運転が停止したときに、前記フィルタ清掃装置の運転を開始させる連動運転制御装置を備えていることを特徴とする請求項１〜１１の何れかに記載のレンジフード。
【請求項１３】
前記フィルタ部材の駆動回転を逆転させる制御装置を備えていることを特徴とする請求項１〜１２の何れかに記載のレンジフード。
【発明の詳細な説明】
【技術分野】
【０００１】
本発明は、調理中に発生する汚染空気（汚染物質）を吸い込み捕集して屋外に排気するレンジフードに係り、特に、汚染空気中に含まれている油脂分や塵埃などを分離回収するフィルタ部材の清掃を行うフィルタ清掃機能を備えたレンジフードに関する。
【背景技術】
【０００２】
レンジフードには、調理中に加熱調理器や調理鍋などから舞い上がってくる廃ガスや油煙などの汚染空気を吸い込み捕集するための略下向きなどに開口させた吸込み口（捕獲空間）が設けられている。そして、吸い込み捕集された汚染空気を吐出し口から排気ダクトを介して屋外に排気する排気風路に、汚染空気中に含まれている油脂分や塵埃などを分離回収（捕獲）するためのフィルタ部材が備えられている。
ちなみに、フィルタ部材としては、カットベンドタイプ、或いはパンチングメタルタイプ、そしてラス網などからなる網目状タイプなどが一般的に知られている。
【０００３】
ところで、汚染空気中に含まれている油脂分などのフィルタ部材による分離回収は、汚染空気がフィルタ部材を通り抜けるときの衝突（接触）などによる油脂分のフィルタ部材への付着によって行われるようになっている。
例えば、パンチングメタルタイプのフィルタ部材の場合では、汚染空気の下流側に向けて突出する立上り孔縁部を備えて無数に開口されている通気孔を汚染空気が通り抜けるときに、排気風路の上流側に位置するフィルタ部材の表面や立上り孔縁部への汚染空気の衝突（接触）によって油脂分が表面や通気孔の立上り孔縁部などに付着されて回収されるようになっている。
すなわち、レンジフードのフィルタ部材は、汚染空気が通り抜ける細かい孔の集合によって形成されているために、使用とともに徐々に堆積される油脂分などの付着物（汚れ）によって孔が塞がれる目詰まりを引き起こし、ひいては吸引力が低下するなどの様々な不具合が生じる原因となる。そのために、付着物を取り除く清掃（洗浄）を定期的に行う必要がある。
【０００４】
しかし、フィルタ部材から付着物を取り除くためには、レンジフード内の排気風路に取り付けられているフィルタ部材を取り外し、シンクなどでブラシなどの清掃用具を用いて丸洗い（水洗い）しなければならない。そして、付着物を取り除いた後は排気風路にフィルタ部材を戻す取り付け作業が必要となる。
このように、フィルタ部材から付着物を取り除く作業は、大変面倒で手間が掛かるものとなっていた。特に、フィルタ部材の表面などにこびり付くように付着している頑固な油脂分の除去にはかなりの労力と手間が掛かるものとなっていた。
【０００５】
そこで、このような面倒で手間の掛かるフィルタ部材の清掃（洗浄）作業を軽減するために、フィルタ部材をレンジフードから取り外すことなく、油脂分や塵埃などの付着物を取り除くフィルタ清掃機能を備えたレンジフードが提案されている（例えば、特許文献１などを参照）
【先行技術文献】
【特許文献】
【０００６】
【特許文献１】特開２００６−２９２２４８号公報（段落番号００２６、および図１参照）
【発明の概要】
【発明が解決しようとする課題】
【０００７】
ところで、特許文献１の記載では、フィルタ部材（グリスフィルタ）の表面に接しながら移動するブラシ（汚れ拭取り手段）によって、フィルタ部材に付着する汚れを取り除く構成を採用している。
しかしながら、このような従来技術では、フィルタ部材から取り除かれた汚れがブラシの植毛繊維の間に入り込んでしまい、特に、取り除かれた油脂分が植毛繊維の間に入り込んで固まり、ひいては、汚れをフィルタ部材の表面から取り除くブラシ本来の掃き取り作用が低下してしまうおそれがある。
そして、使用とともに植毛繊維の間に油脂分が徐々に堆積し、最悪の場合には植毛繊維の間に入り込んだ油脂分によって植毛繊維同士が結合してしまい、ブラシ自体の目詰まりを引き起こして掃き取り作用が完全に失ってしまうおそれがあった。
そのために、ブラシを用いた従来技術では、清掃のためのブラシそのものを定期的に取り外して、植毛繊維の間に入り込んだ油脂分などの汚れを取り除く必要があった。
また、植毛繊維の間に入り込んで固まってしまった油脂分を取り除くことはかなりの労力を必要とするばかりか、取り除くことができずに、新しいものと交換せざる得ない状態を招くおそれがあった。
【０００８】
そこで、本発明は、前記課題を解消するために創案されたものであり、フィルタ部材の清掃機能を備えたレンジフードであって、遠心力や水などを使用することなくフィルタ部材から付着物を取り除くことが可能であること、清掃機能を低下させることなく長期にわたり継続させることが可能であること、送風機の運転停止に連動させてフィルタ部材の清掃を開始させることが可能であること、排気下流側に面するフィルタ面に付着した汚れを排気上流側に面するフィルタ面側に押し出しながら取り除くことを可能にしたこと、などを目的とする。
【課題を解決するための手段】
【０００９】
前記課題を解決するために、本発明では、調理中の汚染空気を吸い込み捕獲する吸込み口から汚染空気を屋外に排気する吐出し口に至る排気風路にフィルタ部材を配設しているレンジフードであって、
前記フィルタ部材を回転可能に具備するフィルタ清掃装置を前記排気風路に、排気上流側と排気下流側とを仕切るように配設してなり、前記フィルタ清掃装置は、円盤形状に形成されている前記フィルタ部材を駆動回転させる駆動手段と、前記フィルタ部材のフィルタ面に沿わせて線状または面状に圧接させて、該フィルタ部材に付着している付着物を取り除く付着物除去手段と、を備えてなり、記駆動手段は、モータと、このモータの動力を前記フィルタ部材に伝達する動力伝達機構と、から構成され、前記付着物除去手段は、前記フィルタ部材の回転中心部近傍からその外周に至る該フィルタ部材の半径直線に対して斜め線上に位置して配設されていることを特徴とする。
【００１０】
さらに、本発明では、調理中の汚染空気を吸い込み捕獲する吸込み口から汚染空気を屋外に排気する吐出し口に至る排気風路にフィルタ部材を配設しているレンジフードであって、
前記フィルタ部材を回転可能に具備するフィルタ清掃装置を、前記排気風路に、排気上流側と排気下流側とを仕切るように配設してなり、前記フィルタ清掃装置は、円盤形状に形成されている前記フィルタ部材を駆動回転させる駆動手段と、前記フィルタ部材のフィルタ面に沿わせて線状または面状に圧接させて、該フィルタ部材に付着している付着物を取り除く付着物除去手段と、を備えてなり、記駆動手段は、モータと、このモータの動力を前記フィルタ部材に伝達する動力伝達機構と、から構成され、前記フィルタ部材を挟み、排気風路の排気上流側に面するフィルタ面に沿わせて前記付着物除去手段を配設するとともに、前記付着物除去手段と対向する位置に、排気風路の排気下流側に面するフィルタ面に沿わせてフィルタ受け部材を配設し、前記フィルタ受け部材は、前記フィルタ部材の回転中心部近傍からその外周に至る程度の長さを有する円筒状または円柱状に形成されて、フィルタ面への接触により前記フィルタ部材の駆動回転とともに回転することを特徴とする。
【００１１】
また、前記付着物除去手段は、前記フィルタ部材の回転中心部近傍からその外周に至る該フィルタ部材の半径直線上に位置して配設されていること、前記フィルタ受け部材は、少なくともフィルタ面に接触する外周部分が弾性材料により形成されて、前記フィルタ部材の駆動回転とともに回転するときに、該フィルタ部材に設けられている汚染空気の通気口に弾性的に入り込むようにしていること、前記動力伝達機構は、前記モータの出力軸に取り付けられる第１の歯車と、前記フィルタ部材の外周に沿って設けられて前記第１の歯車に噛合する第２の歯車とから構成されていること、前記付着物除去手段は、少なくとも前記フィルタ部材の回転中心部近傍からその外周に至る長さに形成されて、前記フィルタ部材のフィルタ面に沿わせて線状または面状に圧接させる１乃至複数の付着物除去部材と、この付着物除去部材を支持する支持部材とを備えて構成され、前記付着物除去部材および前記支持部材の何れか一方または双方が、前記フィルタ部材側に付勢されていること、が好適なものとなる。
さらに、前記付着物除去部材は、略平面板状に形成されていること、前記付着物除去部材は、油脂分や水分の吸収作用に優れた素材からなるシート材を着脱自在に装着し得るように形成されていること、前記フィルタ部材に、親水性または撥水性の表面処理が施されていること、などの構成を採用することが好適なものとなる。
【００１３】
また、前記フィルタ清掃装置は、前記フィルタ部材を回転可能に支持収容するユニットケースを備え、前記ユニットケースは、開口中心部を、前記フィルタ部材の回転中心部と略一致させた汚染空気の通気開口部を備え、該通気開口部に、前記開口中心部からその開口円周縁に至る前記付着物除去手段の取付け部を備えてなり、前記支持部材は、前記開口中心部からその開口円周縁に至る軸線上において回転可能で、かつ、前記フィルタ部材側に付勢回転された状態で前記取付け部に取り付けられ、前記フィルタ部材の駆動回転によって、前記支持部材が付勢回転方向に抗する回転方向に回転したときに、前記付着物除去部材の先端側を接触させて、該先端側から付着物を取り除く接触部を前記取付け部に備えていること、前記支持部材に、前記フィルタ部材側に向けて突出させた回転動作凸部を備え、前記回転動作凸部と対向する前記フィルタ部材の回転円周上に、該フィルタ部材の駆動回転によって前記回転動作凸部が乗り上げて、前記支持部材を付勢回転方向に抗する回転方向に回転させることを繰り返す回転起動凸部を備えていること、などの構成を採用することが好適なものとなる。
【００１４】
また、前記フィルタ部材に、親水性または撥水性の表面処理が施されていることが好適なものとなる。
【００１５】
また、汚染空気を吸い込み捕獲する吸引力を発生（伝播）させる送風機の運転が停止したときに、前記フィルタ清掃装置の運転（フィルタ部材を駆動回転）させる連動運転制御装置を備えていることが好適で、この場合、送風機の運転が停止してから予め定められている設定時間にてフィルタ部材を駆動回転させるようにすることが好適なものとなる。
【００１６】
このような構成によれば、汚染空気中から分離回収されてフィルタ部材に付着している油脂分や塵埃などの汚れは、モータによって駆動回転するフィルタ部材のフィルタ面に線状または面状に圧接されている付着物除去手段によって取り除かれて、フィルタ面の清掃が行われる。
このとき、フィルタ部材の駆動回転は、モータによって回転する第１の歯車からフィルタ部材の外周に沿って備えられている第２の歯車を介して行われる。また、付着物除去手段が、フィルタ部材の回転中心部からその外周縁に至る該フィルタ部材の半径直線に対してフィルタ面と平行とする斜め線上に位置して配設されている場合、フィルタ面から取り除かれた汚れは、フィルタ部材の駆動回転によって、フィルタ部材の回転中心部側、または、外周縁部側の何れかにおける付着物除去手段の片側に寄せ集められる。特に、フィルタ部材の外周縁部側における付着物除去手段の片側に寄せ集められることで、汚れのフィルタ面への再付着を防ぎながら、付着物除去手段によって取り除かれた汚れをフィルタ面から効率的に、かつ、確実に取り除くことができる。
【００１７】
また、付着物除去部材を、例えば、フィルタ部材の回転方向に並列させて支持部材に複数備えている構成からなる付着物除去手段を採用することで、フィルタ面の汚れを取り除く清掃効果（洗浄効果）の向上が図られる。
また、付着物除去部材が略平面板状、例えば、フィルタ面に圧接させる先端側が先細の略ヘラ形状に形成されている場合、フィルタ面にへばり付くように付着している油脂分などの汚れを取り除くときに、ヘラ先で汚れを掻き落すように取り除くことができるので、有効である。そして、付着物除去部材が、油や水分の吸収作用に優れた素材からなるシート材を着脱自在に装着し得るように形成されている場合では、フィルタ面から汚れを拭き取られるように取り除くことができる。
【００１８】
また、排気風路の排気上流側にフィルタ部材のフィルタ面に圧接状態で配設される付着物除去手段によるフィルタ部材の排気下流側への撓みなど変形は、排気下流側に配設されるフィルタ受け部材によって抑えられる。
また、フィルタ受け部材がフィルタ部材の駆動回転とともに回転するときに、フィルタ受け部材の外周部分が、通気口に弾性的に入り込む、または、付着物除去手段が配設されている排気風路の排気上流側に弾性的に飛び出すことで、排気上流側に面するフィルタ面側から排気下流側に面するフィルタ面側に流れ込むなどによって、排気下流側のフィルタ面に付着している油脂分などの汚れを、フィルタ部材の通気口から排気上流側のフィルタ面側に押し出すことができる。これにより、排気上流側のフィルタ面側に押し出された汚れを、当該フィルタ面に沿って圧接されている付着物除去手段によって取り除くことができる。
【００１９】
また、フィルタ部材の駆動回転によって、支持部材を、フィルタ部材方向への付勢回転方向に抗して回転させて、フィルタ面から取り除かれて付着物除去部材に付着している汚れなどの付着物を、該付着物除去部材から払い落として取り除くようにした構成を採用することで、付着物除去部材に付着物が付着（堆積）されていない状態で、付着物除去部材をフィルタ面に圧接させてフィルタ面から汚れを取り除く清掃を継続させることができる。例えば、回転起動凸部がフィルタ部材の回転円周の１ヶ所に備えられている場合では、フィルタ部材が一回転するたびに、フィルタ面から取り除かれて付着物除去部材に付着されている付着物を取り除いて、付着物が付着していないきれいな付着物除去部材を再びフィルタ面に圧接させてフィルタ面から汚れを取り除く清掃を継続させることができる。
【００２０】
また、フィルタ部材に親水性または撥水性の表面処理が施されていることで、汚れなどの溜まりを防ぎ、汚れが落ち易くなることから、付着物除去部材によって速やかに、かつ、簡単に取り除くことができる。
【００２１】
また、調理が終わり、送風機の運転が停止したときに、フィルタ部材を自動的に駆動回転させる構成を採用することで、汚染空気中から分離回収された油脂分がフィルタ面に付着した直後において取り除くことができる。つまり、フィルタ部材に付着回収された油脂分が、フィルタ面にへばり付くように硬化する以前にフィルタ面から取り除くことができる。
【発明の効果】
【００２２】
本発明のレンジフードによれば、フィルタ部材を高速回転させるなどによる遠心力の利用や水などを使用することなく、駆動回転するフィルタ部材のフィルタ面から付着物などの汚れを、線状または面状に圧接させた付着物除去手段によって取り除くことができる。
これにより、高速回転させるなどの高価なモータ使用による製品の高騰を抑えることができ、しかも、継続して湿気に晒されることによる腐食などの発生を抑え、チッキン壁面などのへの悪影響をも抑えることができる。
【００２３】
また、フィルタ面から汚れを取り除く付着物除去手段として、略ヘラ形状の付着物除去部材を使用、また、油脂分や水分の吸収作用に優れた素材からなるシート材を着脱自在に装着し得る付着物除去部材を使用していることで、油脂分などの汚れをフィルタ面から取り除くのに有効で、また、使用者がタオルなどを用いて汚れを拭き取るときの行為に近い状態で、汚れをフィルタ面から取り除くことができる。
【００２４】
また、フィルタ部材の駆動回転中（フィルタ面の清掃中）において、フィルタ面から取り除かれて付着物除去部材の先端側に付着した付着物を払い落としながらフィルタ面から汚れを取り除く清掃を継続させることができる。
これにより、清掃機能を低下させることなく長期使用が可能となる。つまり、使用者に対するメンテナンスなどの手間を軽減させることができる。
【００２５】
また、送風機の運転停止に連動させてフィルタ部材の清掃を開始させることができることで、特に、廃ガスや油煙など汚染空気中から分離回収された直後の油脂分をフィルタ面から取り除くことができる。つまり、油脂分がフィルタ面にへばり付くように硬化する以前に取り除くことができる。
これにより、油脂分の除去効率がよく、しかも、清掃時間の短縮化が図られて省エネ効果をも期待することができる。
【図面の簡単な説明】
【００２６】
【図１】本実施形態に係るレンジフードを示す縦断側面図である。
【図２】同レンジフードの要部（フィルタ清掃装置の設置部分）を示し、（ａ）は、フィルタ清掃装置の全体を拡大して示す断面図であり、（ｂ）は、その一部をさらに拡大して示す断面図である。
【図３】図２の（ｂ）のＩＩＩ-ＩＩＩ線断面図である。
【図４】本実施形態に係るフィルタ清掃装置の分解斜視図である。
【図５】図４の続きを示すフィルタ清掃装置の分解斜視図である。
【図６】同フィルタ清掃装置の第１の実施形態に係る付着物除去手段の分解斜視図である。
【図７】組み立てた状態の同付着物除去手段を示し、（ａ）は、同斜視図であり、（ｂ）は、（ａ）のｂ−ｂ線拡大断面図であり、（ｃ）は、他の実施形態を示す同拡大断面図である。
【図８】フィルタ受け部材の他の実施形態を示す要部の拡大断面図である。
【図９】図８のＩＸ−ＩＸ線断面図である。
【図１０】送風機の運転停止に連動させてフィルタ清掃装置の運転を開始させる連動運転制御装置の概略構成を示す構成ブロック図である。
【図１１】フィルタ部材の回転角速度を監視するフィルタ監視制御装置を備えている本実施形態に係るレンジフードの概略構成を示すブロック図である。
【図１２】フィルタ監視制御装置によるフィルタ部材の回転角速度の監視動作の一例を示すフローチャートである。
【図１３】第２の実施形態に係る付着物除去手段を示し、（ａ）は、斜視図であり、（ｂ）は、（ａ）のｂ−ｂ線拡大断面図である。
【図１４】第３の実施形態に係る付着物除去手段を示し、（ａ）は、斜視図であり、（ｂ）は、（ａ）のｂ−ｂ線拡大断面図である。
【図１５】同付着物除去手段と、この付着物除去手段が取り付けられるフィルタケースの取付け部を斜め下方から見上げたときの斜視図である。
【図１６】同付着物除去手段を取付け部に取り付けた状態を示し、（ａ）は、一部を破断した状態で示すフィルタケース（フィルタ清掃装置）の底面図であり、（ｂ）は、要部の拡大断面図である。
【図１７】フィルタ部材の駆動回転に伴う同付着物除去手段の動きを示す概略説明図であり、（ａ）は、フィルタ部材に付着している汚れが、付着物除去部材によって取り除かれる直前の状態を示し、（ｂ）は、支持部材の回転動作凸部がフィルタ部材の回転起動凸部を乗り上がり始めて、支持部材が枢着部を支点に付勢回転方向に抗した方向へ回転動作を開始する直前の状態を示し、（ｃ）は、継続する回転動作凸部の回転起動凸部の頂部へ向けた乗り上がり、それに伴う支持部材の回転動作、そして付着物除去部材の付勢回転方向への回転動作によって、付着物除去部材の先端側が取付け部の接触部に接触し始めた直前の状態を示し、（ｄ）は、継続する回転動作凸部の回転起動凸部の頂部へ向けた乗り上がり、それに伴う支持部材の回転動作、そして付着物除去部材の回転動作によって、汚れが付着している付着物除去部材の先端部分が接触部に接触した状態を示し、（ｅ）は、更に継続する回転動作凸部の回転起動凸部の頂部に向けた乗り上がり、それに伴う支持部材の回転動作、そして付着物除去部材の回転動作によって、付着物除去部材の先端部分に付着している汚れの接触部への接触によって、付着物除去部材の先端部分に付着している汚れが掻き落された状態を示し、（ｆ）は、付着物除去部材から汚れが掻き落された後に、回転起動凸部の頂部を乗り越えた回転動作凸部が回転起動凸部を下り始め、それに伴い支持部材が付勢回転方向（ａの状態に戻る方向）への回転動作を開始するその直前を示す。
【発明を実施するための形態】
【００２７】
以下、本発明の実施形態について、適宜図面を参照しながら詳細に説明する。
図１は、本実施形態に係るレンジフードを示す縦断面図であり、図２および図３は、要部を拡大して示す断面図である。
なお、レンジフードとしては、捕獲空間が浅く形成されている薄型（平型）タイプと、捕獲空間が深く形成されている深型タイプとの２種類に大別されるが、本実施形態では、図１に示すように、薄型タイプのレンジフードを挙げて説明する。また、薄型タイプのレンジフードでは、フード部の上に送風機が縦置きに設置される縦置きタイプと、送風機が横置きに設置される横置きタイプとがあるが、本実施形態では、図１に示すように、横置きタイプのレンジフードを挙げて説明する。
【００２８】
≪レンジフードの構成≫
レンジフードＡは、調理中に発生する油煙、湯煙（水蒸気）、熱気、そして廃ガスなどの汚染空気Ｇを吸込み捕集し、図示省略の排気ダクトを通して屋外に排気するように構成されている。
このレンジフードＡは、図１に示すように、薄型（平型）で下向きに開口する捕獲空間Ｍを有するフード部１と、このフード部１の上に設置される送風機２と、捕獲空間Ｍの下向き開口部に取り付けられる整流板３とを備えて構成されている。
【００２９】
このように、フード部１の上に送風機２を設置している薄型のレンジフードＡは、周知の設置構造によってキッチンに取り付け設置される。例えば、図１に示すように、送風機２の後記する送風機ボックス２ａがＬ形の吊り金具４を用いたネジ止めなどによってキッチン壁Ｋに取り付けられて、図示省略の加熱調理器の略真上に位置して設置される。
【００３０】
フード部１は、下向き開口する扁平箱型に形成され、開口内側にオイルパネル５が取り付けられることで、所望の深さを有する下向き凹部形状の捕獲空間Ｍが開口内側に備えられるようになっている。
オイルパネル５は、周辺縁部を残して上方に膨出させた凹みを備え、周辺縁部がフード部１の開口内側にスポット溶着やネジ止めなどの止着手段を用いて取り付けられるように形成されている。
これにより、フード部１の厚さ（高さ）内に収まる深さで、キッチン壁面Ｋに突き合わせされるフード部１の背面側（図１紙面右側）からキッチン側（図１紙面左側）に位置するフード部１の前面側に至るにしたがって深さが徐々に深くなる捕獲空間Ｍが、フード部１の開口内側に形成される。
【００３１】
また、フード部１は、送風機２が設置される背面側に位置する天板１ａの一部に、捕獲空間Ｍに連通させた送風機設置部６を天板１ａよりも高く備えて、後述のフィルタ清掃装置Ｂを構成する駆動手段１６のモータ１６ａを内設し得る空間を、捕獲空間Ｍと送風機ボックス２ａとの間に確保するようにしている。つまり、図１に示すように、捕獲空間Ｍに連通させてオイルパネル５に取り付けられるフィルタ清掃装置Ｂをフード部１内に組み込み内設し得るようにしている。
【００３２】
送風機２は、図１に示すように、下面を開口させた略四角形状の箱型に形成されている送風機ボックス２ａの内部に、ファンケーシング２ｂを横置き状態で内設してなる。
ファンケーシング２ｂは、排気ダクトが接続される吐出し口７を有するボリュート形状に形成され、ファンモータ２ｃに軸支されて同軸上に収容される排気ファン２ｄを収容している。
【００３３】
整流板３は、捕獲空間Ｍの下向き開口部の開口形状よりも小さい平板形状に形成されて、捕獲空間Ｍに開閉・係脱自在に取り付けられる。これにより、図１に示すように、整流板３の周囲各辺縁部と捕獲空間Ｍの開口周縁部との間に汚染空気Ｇの吸込み口８が確保されて、汚染空気Ｇが整流板３に沿って吸込み口８から捕獲空間Ｍ内に勢い良く吸気（捕集）されるようになっている。
【００３４】
また、レンジフードＡは、図１に示すように、フード部１の調理者側である前面部にスイッチ操作部９を備えている。
このスイッチ操作部９は、送風機２およびフィルタ清掃装置Ｂの運転開始と運転停止との切り替え、そして、送風機２の運転（強・中・弱）切り替えなどの操作を行うタッチやプッシュタイプなどからなるスイッチ類（図示省略）を備えている。
【００３５】
そして、このように構成されているレンジフードＡの吸込み口８から吐出し口７に至る排気風路１０に、フィルタ部材１１を回転可能に具備するフィルタ清掃装置Ｂを配設している。
これにより、吸込み口８から捕獲空間Ｍに吸い込み捕獲された汚染空気Ｇが排気風路１０を通り吐出し口７側へと吸引されて流れるとき、汚染空気中から分離回収されてフィルタ部材１１に付着した油脂分や塵埃などの汚れ（付着物）を、フィルタ部材１１を駆動回転させることでフィルタ部材１１から掻き落とすように取り除くことができるように構成している。
【００３６】
≪フィルタ部材の構成≫
フィルタ部材１１は、周知のカットベンドタイプ、或いはパンチングメタルタイプ、そしてラス網などからなる網目状タイプなどからなり、本実施形態では、後記の図４に示すように、パンチングメタルタイプを採用し、適宜の外径寸法を有する円盤形状に形成している。
すなわち、フィルタ部材１１は、図３および後記の図５に示すように、排気風路１０の排気上流側と排気下流側に面するフィルタ面１１ａ，１１ｂに通じる無数の通気孔１１−１を備え、回転中心部が回転部材１２、回転支軸部材１３、そして上下の止め部材１４によってフィルタ清掃装置Ｂの後記するフィルタケース１５の間において回転可能に支持収容されるように形成されている。
【００３７】
また、フィルタ部材１１は、フィルタ面１１ａ，１１ｂに親水性または撥水性の表面処理が施されている。これにより、汚れなどの溜まりを防ぎ、フィルタ清掃装置Ｂの後記する付着物除去部材１７ａ，１７ｂなどによってフィルタ面１１ａから汚れを速やかに、かつ、簡単に取り除くことができるようにしている。
【００３８】
≪フィルタ清掃装置の構成≫
図４および図５は、第１の実施形態に係る付着物除去手段を備えたフィルタ清掃装置を示す分解斜視図である。ここでは、図１〜図３を適宜参照しながら説明する。
なお、図４および図５に示すフィルタケース１５の方向性において、紙面斜め下向き右側がレンジフードＡの前側（調理者側）となり、紙面斜め上向き左側がレンジフードＡの後側（キッチン壁Ｋ側）となり、紙面斜め上向き右側と斜め下向き左側がレンジフードＡの左右両側になる。
【００３９】
フィルタ清掃装置Ｂは、フィルタ部材１１を回転可能に具備するとともに、使用とともにフィルタ部材１１のフィルタ面１１ａに付着して堆積する油脂分や塵埃などの汚れを、フィルタ面１１ａから掻き落とすように取り除いてフィルタ面１１ａの清掃を行うものである。
このフィルタ清掃装置Ｂは、図２、図４および図５に示すように、フィルタ部材１１を回転可能に支持収容するフィルタケース１５と、フィルタ部材１１を所定の回転角速度にて駆動回転させる駆動手段１６と、排気風路１０の排気上流側に面するフィルタ部材１１のフィルタ面１１ａに沿わせて線状または面状に圧接させる付着物除去手段１７と、排気風路１０の排気下流側に面するフィルタ部材１１のフィルタ面１１ｂに沿わせて配設するフィルタ受け部材１８とを備えて構成されている。
【００４０】
≪フィルタケースの構成≫
フィルタケース１５は、鋼板やその他の不燃性材料を用いてフィルタ部材１１の外径よりも大きめの各辺寸法を有する底面視で略四角形状に形成されている上下に２分割されたケース部１５ａ，１５ｂから形成されている。
そして、上下のケース部１５ａ，１５ｂのうち、上側ケース部１５ａは、図４に示すように、両側縁辺部における前側縁辺部寄りに、外向きに延設させた取付け片部１９−１をそれぞれ備えている。一方、下側ケース部１５ｂは、図５に示すように、後側縁辺部に沿わせて外向きに屈曲させた取付け掛止片部１９−２を備えている。
これにより、フィルタケース１５は、前側寄りの両取付け片部１９−１のネジ止めと、後側の取付け掛止片部１９−２のオイルパネル５への引っ掛けによって、オイルパネル５に係脱自在に装着されるように形成されている。つまり、フィルタ部材１１を具備するフィルタ清掃装置Ｂは、適宜取り外し可能な状態で、レンジフードＡの排気風路１０に、排気上流側と排気下流側とを仕切るように配設される。
【００４１】
また、上下のケース部１５ａ，１５ｂは、開口中心部をフィルタ部材１１の回転中心部と略一致させて開口した通気開口部２０ａ，２０ｂをそれぞれ備えているとともに、通気開口部２０ａ，２０ａの一部に、開口中心部から開口円周縁に至るように付着物除去手段１７の取付け部２１ａ，２１ｂをそれぞれ備えている。
【００４２】
上下の通気開口部２０ａ，２０ｂは、フィルタ部材１１の直径よりも僅かに小さい開口径にて上下のケース部１５ａ，１５ｂに円形形状にそれぞれ備えられている。これにより、吸引口８から捕獲空間Ｍに吸引捕獲された汚染空気Ｇが、上下のケース部１５ａ，１５ｂの間に位置して回転可能に支持収容されるフィルタ部材１１を通過して下流の吐出し口７へと吸引されて流れるようになっている。
【００４３】
上下の取付け部２１ａ，２１ｂは、通気開口部２０ａ，２０ｂの開口円周縁の一部（下側ケース部１５ａの後側縁辺部側に位置する円周縁部）から開口中心部の近傍に向けた底面視で内向きの略山形形状や略二等辺三角形状などの突出形状にて形成されている。また、上下の取付け部２１ａ，２１ｂは、通気開口部２０ａ，２０ｂの開口中心部の線上と同軸上とする上下の止め部材１４の軸支孔２２ａ，２２ｂをそれぞれ備えている。
これにより、上下の取付け部２１ａ，２１ｂにそれぞれ備えられている軸支孔２２ａ，２２ｂに、図２に示すように、フィルタ部材１１の回転中心部にネジ止めによって取り付けられる回転部材１２を、回転支軸部材１３と上下の止め部材１４とによって取り付けることで、上下の取付け部２１ａ，２１ｂの部分を除いて、上下の通気開口部２０ａ，２０ｂに露出させた（臨ませた）状態でフィルタ部材１１を、上下のケース部１５ａ，１５ｂの間に回転可能に支持収容し得るようにしている。
なお、図示を省略しているが、上下の取付け部２１ａ，２１ｂの通気開口部２０ａ，２０ｂの開口円周縁の一部から開口中心部の近傍に向けた突出形状は、長方形状などの略矩形形状などであってもよい。
【００４４】
また、上下の取付け部２１ａ，２１ｂのうち、図５に示すように、下側ケース部１５ｂの取付け部２１ｂに付着物除去手段１７の取付け開口部２３が開口されている。
この取付け開口部２３は、下側取付け部２１ｂの内向き突出端側から下側ケース部１５ｂの後側縁辺部側に向けた略長孔形状に開口されている。
【００４５】
また、下側ケース部１５ｂの取付け部２１ｂの内向き突出端側には、取付け開口部２３の一側短辺開口縁に沿わせてバネ材からなる挟持片部材２４が備えられている。
これにより、図２に示すように、付着物除去手段１７の後記する支持部材１７ｃの一側短辺枠側に設けられている掛止溝４３を、取付け開口部２３の他側短辺開口縁に嵌め合せ掛止させた状態で、支持部材１７ｃの他側短辺枠側に設けられている掛止凹欠部４４を挟持片部材２４に弾発的に掛止させることによって、付着物除去手段１７の支持部材１７ｃおよび後記する第１，第２の付着物除去部材１７ａ，１７ｂを、上下のケース部１５ａ，１５ｂの間に臨ませた状態で、付着物除去手段１７が下側取付け部２１ｂに掛脱自在に取り付けられるようにしている。
【００４６】
また、下側ケース部１５ｂには、図５に示すように、トレイ取付け部２５−１をそれぞれ備えている。このトレイ取付け部２５−１は、下側ケース部１５ｂの後側縁辺部側に位置する取付け開口部２３の両側に所定の間隔をおいて互いに向き合うようにそれぞれ折り曲げ形成されて、オイルトレイ（油受け）２５の後側が抜き挿し自在に係止されるようになっている。
【００４７】
また、下側ケース部１５ｂには、図５に示すように、整流板支持部２６がそれぞれ備えられている。この整流板支持部２６は、下側ケース部１５ｂからフック形状に垂設されて、整流板３の後側縁辺部を取り外し係脱自在で、かつ、開閉回動可能に支持するように形成されている。
【００４８】
一方、上側ケース部１５ａのコーナー１ヶ所には、図４に示すように、窓孔２７が備えられている。この窓孔２７は、駆動手段１６を構成する後記の動力伝達機構１６ｂの第１の歯車３１の外径よりも一回りほど大きく開口されている。
これにより、駆動手段１６を構成する後記のモータ１６ａを上側ケース部１５ａの外側（排気下流側）に取付け状態で、その出力軸３０に固着される第１の歯車３１を、上下のケース部１５ａ，１５ｂの間に臨ませ内在し得るようにしている。つまり、上下のケース部１５ａ，１５ｂの間に回転可能に支持収容されるフィルタ部材１１の外周に沿って備えられる動力伝達機構１６ｂの後記する第２の歯車３２に対して第１の歯車３１を噛合連繋し得るようになっている。
【００４９】
また、上側ケース部１５ａは、通気開口部２０ａの開口周縁に沿わせたその円周数ヶ所に歯車支持部材２８を備えている。この歯車支持部材２８は、フィルタ部材１１の外周に沿わせたリング径にて形成される第２の歯車３２のリング外周縁部を外側から掴むように支持する掴持部を備えている。
これにより、上側ケース部１５ａは、通気開口部２０ａ，２０ｂの開口中心部を回転支軸部として第２の歯車３２を、内側に回転可能に支持し得るように形成されている。
なお、図示を省略しているが、歯車支持部材２８は、合成樹脂材などからなる潤滑性の高い部材を掴持部の内側に備えて、第２の歯車３２を滑り性よく回転可能に掴持し得るようになっている。
【００５０】
≪駆動手段の構成≫
このように形成されている上下のケース部１５ａ，１５ｂの間に回転可能に支持収容されるフィルタ部材１１を駆動回転させる駆動手段１６は、モータ１６ａと、このモータ１６ａの動力をフィルタ部材１１に伝達する動力伝達機構１６ｂとを備えて構成されている。
モータ１６ａは、モータ支持台２９を介して上側ケース部１５ａ側に設置される。
モータ支持台２９は、略櫓形状に形成されており、窓孔２７の開口中心線上に位置させた上側ケース部１５ａのコーナー部外側（排気下流側）にネジ止め設置される。これにより、モータ６ａの出力軸３０を、窓孔２７から上下のケース部１５ａ，１５ｂの間に下向き突出状に内在させるようにしている。
【００５１】
このようにして、上側ケース部１５ａに設置されるモータ１６ａは、フード部１のスイッチ操作部９に備えられている図示省略のフィルタ清掃用スイッチに電気的に接続されている。
これにより、フィルタ清掃用スイッチのＯＮ操作によって起動し、動力伝達機構１６ｂを介してフィルタ部材１１を駆動回転させ、ＯＦＦ操作によって停止するようになっている。つまり、フィルタ清掃装置Ｂは、スイッチ操作部９のフィルタ清掃スイッチのＯＮ／ＯＦＦ操作によって、運転を開始、停止するようになっている。
【００５２】
動力伝達機構１６ｂは、フィルタ部材１１の清掃のときに、フィルタ部材１１を駆動回転させる上で最適な回転角速度にモータ１６ａの回転角速度を減速する役目を成す。
この動力伝達機構１６ｂは、モータ１６ａの出力軸３０に取り付けられる第１の歯車３１と、フィルタ部材１１の外周に沿って取り付けられる第２の歯車３２とを備えて構成されている。
第１の歯車３１は、所定の外径を有するピニオンギア（小歯車）であり、モータ１６ａの出力軸３０に回転不能に固着される。
【００５３】
第２の歯車３２は、フィルタ部材１１の外周径に相当するリング径にて形成されているリング部材の外周に刻設されるラックギア（大歯車）であり、フィルタ部材１１の外周にリング部材をネジ止めなどによって取り付けることで、当該外周に沿って備えられるようになっている。
【００５４】
また、第２の歯車３２が形成されるリング部材の外周には、第２の歯車３２が形成される外周部分を除いて一回りほど大きい外径にて突出させたリング外周縁部が設けられている。
これにより、リング外周縁部を円周数ヶ所の歯車支持部材２８の掴持部に対して掴持させて、フィルタ部材１１をフィルタケース１５内に、回転支軸部材１３を支点に回転可能に支持収容し得るようにしている。つまり、モータ１６ａの動力よって駆動回転し得るようにフィルタ部材１１をフィルタケース１５内に回転可能に支持収容させる。
【００５５】
≪第１の実施形態に係る付着物除去手段の構成≫
図６は、第１の実施形態に係る付着物除去手段を示す分解斜視図であり、図７は、同組立て状態の斜視図および断面図である。
付着部除去手段１７は、フィルタ部材１１の駆動回転のもとで、排気風路１０の排気上流側に面するフィルタ面１１ａに付着されている油脂分や塵埃などの汚れを、フィルタ面１１ａから掻き落とすように取り除くものである。
この付着物除去手段１７は、フィルタ部材１１のフィルタ面１１ａに沿わせて適宜の弾性力にて線状または面状に圧接させるように配設する第１の付着物除去部材１７ａおよび第２の付着物除去部材１７ｂと、この第１，第２の付着物除去部材１７ａ，１７ｂをフィルタ面１１ａの方向に常時付勢させた状態で支持する支持部材１７ｃと、排気風路１０の排気下流側に面するフィルタ部材１１のフィルタ面１１ｂに沿わせて配設するフィルタ受け部材１８とを備えて構成されている。
【００５６】
≪第１，第２の付着物除去部材の構成≫
第１，第２の付着物除去部材１７ａ，１７ｂは、フィルタ部材１１の回転方向に並列させて支持部材１７ｃに支持されて、フィルタ部材１１の清掃時にフィルタ面１１ａに付着している汚れを、フィルタ面１１ａから協同で掻き落とすように取り除く役目を成すものである。
【００５７】
第１の付着物除去部材１７ａは、適宜の弾性を有する不燃性材料を用いて、フィルタ部材１１の半径に相当する長さで、所定の幅を有する略平面板状に形成されている。
具体的に説明すると、第１の付着物除去部材１７ａは、後端側１７ａ−２（図６において紙面斜め下向き右側）を回転軸支部３３となし、この回転軸支部３３から先端側１７ａ−１（図６において紙面斜め上向き左側）を先細状とする断面視で略ヘラ形状に形成されている。
そして、この第１の付着物除去部材１７ａは、回転軸支部３３の両端に回転軸部３４をそれぞれ備えている。
これにより、第１の付着物除去部材１７ａは、回転軸部３４に巻回させた状態で支持部材１７ｃとの間にわたり弾装されるバネ材３５によって、図７の（ｂ）に示すように、略ヘラ形状を呈する先端側１７ａ−１がフィルタ部材１１のフィルタ面１１ａ方向に常時付勢された状態で支持部材１７ｃに回転可能に取り付け支持されるようになっている。
【００５８】
一方、第２の付着物除去部材１７ｂは、第１の付着物除去部材１７ａと同じ材料を用いて、該第１の付着物除去部材１７ａと略同じ長さで、断面縦長の柱状に形成されている。
そして、図６および図７に示すように、フィルタ部材１１のフィルタ面１１ａに圧接させる柱状先端側１７ｂ−１を略半円形状となし、支持部材１７ｃに支持させる柱状後端側１７ｂ−２における長さ方向中央部位の両側には長手方向に延びる係止凸部３６を備えている。
これにより、第２の付着物除去部材１７ｂは、図７の（ｂ）に示すように、係止凸部３６を支持部材１７ｃの後記するスライド孔部３７に対して遊嵌状に係合させることによって、フィルタ面１１ａ方向に移動可能とする状態で支持部材１７ｃに取り付け支持されるようになっている。
【００５９】
また、第２の付着物除去部材１７ｂは、図６および図７の（ｂ）に示すように、支持部材１７ｃに支持される後端側１７ｂ−２の端面における長手方向両側にバネ取付け凹部３８を備えている。
これにより、第２の付着物除去部材１７ｂは、バネ取付け凹部３８に一端側が固着されるバネ材３９によって、先端側１７ｂ−１がフィルタ部材１１のフィルタ面１１ａ方向に常時付勢された状態で支持部材１７ｃに移動可能（スライド可能）に取り付け支持されるようになっている。
【００６０】
［第２の付着物除去部材の他の実施形態の説明］
また、第２の付着物除去部材１７ｂは、図７の（ｃ）に示すように、油や水分の吸収作用に優れた素材からなるシート材４０を先端側１７ｂ−１に装着し得るように形成されている。
シート材４０は、第２の付着物除去部材１７ｂの長手方向略全長に至る長さで、その先端側１７ｂ−１から高さ方向（図７の（ｃ）において紙面上下方向）の途中部位に至る範囲で第２の付着物除去部材１７ｂの先端側１７ｂ−１を包み込む幅を有する略帯状に形成されている。
そして、このシート材４０は、第２の付着物除去部材１７ｂに止め具４１によって着脱交換可能に装着されるように形成されている。
【００６１】
止め具４１は、適度のフレキシブルを有する材料や適度の伸縮性を有する材料などから、付着物除去部材１７ｂの横断面形状に沿うリング状や端部同士が締結し得るバンド状に形成されている。
これにより、シート材４０を第２の付着物除去部材１７ｂに対して着脱交換可能に装着し得るようにしている。つまり、大量の油脂分や水などが浸透して汚れがひどいときなどには、第２の付着物除去部材１７ｂからシート材４０を取り外して洗うまたは新しいものと交換するなどを適宜行うことができるなっている。
【００６２】
≪支持部材の構成≫
支持部材１７ｃは、適宜の剛性を有する不燃性材料を用いて、下側ケース部１５ｂの取付け開口部２３と略同径の大きさを有する底面視で略矩形形状の枠状に形成されている。
そして、この支持部材１７ｃは、その一側短辺枠側に掛止辺部４２を有する掛止溝４３を備えているとともに、他側短辺枠側に掛止凹欠部４４を備えて、前記したように、取付け開口部２３に掛脱自在に取り付けられるように形成されている。
これにより、フィルタ清掃装置ＢをレンジフードＡから取り外すことなく、支持部材１７ｃのみを取り外して、この支持部材１７ｃを含めて第１，第２の付着物除去部材１７ａ，１７ｂをシンクなどにおいて丸洗いすることができる。
【００６３】
また、支持部材１７ｃは、図６および図７に示すように、両側短辺枠の略中央部に位置する内側に略Ｕ字形状の枢着部４５を備えている。これにより、支持部材１７ｃは、第１の付着物除去部材１７ａの回転軸支部３３を回転可能で、かつ、バネ材３５によって、略ヘラ形状を呈する先端側１７ａ−１をフィルタ面１１ａ方向に常時付勢させた状態で第１の付着物除去部材１７ａを支持し得るように形成されている。
【００６４】
また、支持部材１７ｃは、図７に示すように、第１の付着物除去部材１７ａが回転可能に支持される位置よりも一側長辺側（第１の付着物除部材１７ａのバネ材３５による付勢回転方向に抗する回転方向側）に、第２の付着物除去部材１７ｂをフィルタ面１１ａ方向に向けて移動可能に支持するための凹状溝４６を備えている。
この凹状溝４６は、第２の付着物除去部材１７ｂの長さ形状および幅形状に略適合させた凹溝形状にて所定の深さに形成されているとともに、その長さ方向中央部における両溝壁に係止孔部３７を備えて、前記したように、第２の付着物除去部材１７ｂをフィルタ面１１ａ方向に移動可能とする状態でその後端側１７ｂ−２が支持部材１７ｃに取り付け支持されるようになっている。
【００６５】
このように構成されている第１の実施形態に係る付着物除去手段１７は、底面視で略矩形形状の枠状に形成されている支持部材１７ｃの両側短辺枠間に、第１，第２の付着物除去部材１７ａ，１７ｂを、フィルタ部材１１のフィルタ面１１ａ方向に付勢させた状態で、なおかつ、フィルタ部材１１の回転方向に並列させて備えている構成を成して、図１および図２に示すように、支持部材１７ｃに設けられている掛止溝４３の下側ケース部１５ｂの取付け開口部２３の短辺開口縁への嵌め込み掛止と挟持片部材２４よる弾発保持によって下側ケース部１５ｂの取付け部２１ｂに掛脱自在に取付け配設されるものである。
【００６６】
≪フィルタ受け部材の構成≫
フィルタ受け部材１８は、排気風路１０の排気下流側に面するフィルタ部材１１のフィルタ面１１ｂに圧接させた状態で、その半径方向に沿わされる付着物除去手段１７の第１，第２の付着物除去部材１７ａ，１７ｂに押されてフィルタ部材１１が、排気下流側へ撓むなどの変形を防ぐ役目、そして排気下流側に面するフィルタ面１１ｂに付着した汚れを、フィルタ部材１１の通気孔１１−１から排気上流側に面するフィルタ面１１ａ側に押し出す役目を成すものである。
【００６７】
このフィルタ受け部材１８は、図１〜図４に示すように、第１，第２の付着物除去部材１７ａ，１７ｂの長さと略同じ程度の長さを有する角型柱状（ブロック形状）に形成されている。そして、フィルタ受け部材１８は、長さ方向両側にネジ取付け孔４７を備えて、図２および図３に示すように、止めネジ４８を用いて上側ケース部１５ｂの内側にネジ止めにて取り付けられるように形成されている。
これにより、フィルタ受け部材１８は、図３に示すように、フィルタ部材１１を挟んで、第１，第２の付着物除去部材１７ａ，１７ｂが配設されている排気上流側のフィルタ部材１１のフィルタ面１１ａに対し、反対側（裏面側）の排気下流側のフィルタ部材１１のフィルタ面１１ｂに沿って配設される。
【００６８】
［フィルタ受け部材の他の実施形態の説明］
図８および図９は、フィルタ受け部材の他の実施形態を示す要部の拡大断面図である。
また、本実施形態に係るフィルタ受け部材１８−１は、図８および図９に示すように、フィルタ面１１ｂに接触する外周部分が弾性材料により形成されて、フィルタ部材１１の駆動回転とともに回転するときに、該フィルタ部材１１に設けられている通気口１１−１に弾性的に入り込むように形成されている。
すなわち、フィルタ受け部材１８−１は、円筒状の回転芯材４９を備え、その外周に弾性ゴム材や弾性ウレタン材などの弾性材料を用いて適宜の外周径（直径）に形成されている円筒外周体５０を取り付けた構成を成している。
そして、フィルタ受け部材１８−１は、図８および図９に示すように、フィルタケース１５の上側ケース部１５ｂの内側にブラケット５１によって回動可能に取り付けられるように形成されている。
これにより、フィルタ受け部材１８−１は、図９に示すように、フィルタ部材１１のフィルタ面１１ｂ側への接触によってフィルタ部材１１の駆動回転とともに回転するようになっている。
【００６９】
このように形成されているフィルタ受け部材１８−１は、図９に示すように、第１の付着物除去部材１７ａの先端側１７ａ−１が圧接される排気上流側のフィルタ面１１ａの裏側、つまり、排気下流側のフィルタ面１１ｂにおいて、第１の付着物除去部材１７ａの先端側１７ａ−１の圧接位置よりもフィルタ部材１１の回転方向Ｘの後方に位置して配設される。
これにより、フィルタ受け部材１８−１は、フィルタ部材１１の駆動回転とともに回転すると同時に、フィルタ面１１ｂに接する外周部分が、図９に示すように、フィルタ部材１１の通気口１１−１に弾性的に入り込むことで、フィルタ面１１ａ側からフィルタ面１１ｂ側に流れ込んで付着している汚れを、フィルタ部材１１の通気口１１−１からフィルタ面１１ａ側に押し出す。
つまり、付着物除去部材１７ａの先端側１７ａ−１が圧接されているフィルタ面１１ａの圧接位置より先に、フィルタ面１１ｂ側に付着している汚れを、フィルタ受け部材１８−１によって通気口１１−１からフィルタ面１１ａ側に押し出しながら、当該フィルタ面１１ａに沿って圧接されている付着物除去手段１７の第１，第２の付着物除去部材１７ａ，１７ｂによって取り除くことができる。
【００７０】
［作用説明］
つぎに、第１の実施形態に係る付着物除去手段１７を備えるフィルタ清掃装置Ｂを適用させたレンジフードＡについて簡単に説明する。
調理が終わり、使用者が操作スイッチ部９を操作して送風機２の運転を停止させた後に、操作スチッチ部９のフィルタ清掃スイッチをＯＮ操作すると、フィルタ清掃装置Ｂのモータ１６ａが起動し、該モータ１６ａから出力される動力が、第１の歯車３１、第２の歯車３２を介してフィルタ部材１１に伝達され、フィルタ部材１１が所定の回転角速度で駆動回転し、フィルタ清掃装置Ｂの運転が開始する。
フィルタ部材１１が駆動回転すると、調理中に汚染空気Ｇ中から分離されて排気上流側に面するフィルタ面１１ａに付着回収された油脂分や塵埃などの汚れは、フィルタ面１１ａに沿って圧接されている第１の付着物除去部材１７ａと第２の付着物除去部材１７ｂとによってフィルタ面１１ａから取り除かれる。例えば、第１の付着物除去部材１７ａの場合は、略ヘラ形状をなす先端側１７ａ−１で、フィルタ面１１ａから汚れを掻き落すように取り除く。そして、第２の付着物除去部材１７ｂの場合は、第１の付着物除去部材１７ａに取り除かれずに残る汚れを、フィルタ面１１ａから擦り取るように取り除くものである。
このようにして、第１の付着物除去部材１７ａと第２の付着物除去部材１７ｂとによってフィルタ面１０ａから取り除かれた汚れは、下方のオイルトレイ２５に落下して回収される。
【００７１】
そして、フィルタ清掃装置Ｂを一定時間運転させたところで、使用者による操作スチッチ部９のフィルタ清掃スイッチのＯＦＦ操作によってモータ１６ａが止まり、フィルタ清掃装置Ｂの運転が停止する。
なお、フィルタ清掃装置Ｂの運転時間は、予め定められている設定時間によって行われ、設定時間が経過したところで、モータ１６ａが止まり、運転が自動的に停止するようにすることもできる。
【００７２】
［他の実施形態の説明］
また、本実施形態では、送風機２の運転がスイッチ操作部９の操作により停止（ファンモータ２ｃが停止）したときに、その運転停止に連動させてフィルタ部材１１を駆動回転させる連動運転制御装置５２を備えている。
つまり、調理が終わり、使用者がフード部１のスイッチ操作部９の図示省略の送風機運転スイッチのＯＦＦ操作により送風機２の運転が停止したときに、その停止に連動させてフィルタ部材１１を、予め定められた設定時間Ｔにて駆動回転させるように構成している。
図１０は、送風機の運転停止に連動させてフィルタ清掃装置の運転を開始させる連動運転制御装置の概略構成を示すブロック図である。
【００７３】
連動運転制御装置５２は、使用者がスイッチ操作部９を操作して送風機２の運転を停止させたとき、その運転停止に連動させてフィルタ清掃装置Ｂのモータ１６ａを起動（作動）させてフィルタ清掃装置Ｂの運転を開始させ、そしてフィルタ清掃装置Ｂの運転開始から設定時間Ｔが経過した後に、モータ１６ａを停止させてフィルタ清掃装置Ｂの運転を停止させるマイクロコンピュータ１００を備えている。
【００７４】
マイクロコンピュータ１００には、送風機２の運転が停止したときに連動させてフィルタ清掃装置Ｂのモータ１６ａを作動させ、設定時間Ｔが経過したときにモータ１６ａを停止させる運転制御手段１０１と、この運転制御手段１０１によりモータ１６ａの起動したときに、動作開始して予め定められている設定時間Ｔをカウントするタイマ手段１０２、これらの各機能などが内蔵されている。
【００７５】
運転制御手段１０１は、使用者によるスイッチ操作部９の操作により送風機２の運転が停止（ファンモータ２ｃが停止）したときに、フィルタ清掃装置Ｂのモータ１６ａを起動させ、タイマ手段１０２によりフィルタ清掃装置Ｂの運転時間（設定時間Ｔ）がカウントされたときに、モータ１６ａを停止させるように構成されている。
【００７６】
タイマ手段１０２は、運転制御手段１０２によってフィルタ清掃装置Ｂのモータ１６ａが起動した時点で動作を開始し、予め定められている設定時間Ｔのカウントを開始するように構成されている。
【００７７】
［作用説明］
このように構成されている連動運転制御装置５２をフィルタ清掃装置Ｂに備えてなる本実施形態に係るレンジフードＡによれば、調理が終わり、使用者によるスイッチ操作部９の操作によって送風機２の運転が停止すると、フィルタ清掃装置Ｂのモータ１６ａが起動してフィルタ部材１１を駆動回転させ、前記の実施形態のように、フィルタ面１１ａに付着回収された油脂分や塵埃などの汚れは、フィルタ面１１ａに沿ってそれぞれ圧接されている付着物除去手段１７の第１の付着物除去部材１７ａおよび第２の付着物除去部材１７ｂによってフィルタ面１１ａから取り除かれる。
【００７８】
［他の実施形態の説明］
また、本実施形態では、フィルタ部材１１の駆動回転を逆転させる制御装置を備えている。具体的には、フィルタ部材１１の回転角速度を検知してフィルタ部材１１の駆動回転を逆回転させるフィルタ監視制御装置５３を備えている。
図１１は、フィルタ部材の回転角速度を監視するフィルタ監視制御装置の概略構成を示すブロック図である。
【００７９】
フィルタ監視制御装置５３は、フィルタ部材１１の回動角速度を検知するセンサ５４と、このセンサ５４により検知された回転角速度値の結果によって、フィルタ部材１１のフィルタ面１１ａから取り除かれて第１，第２の付着物除去部材１７ａ，１７ｂの先端側１７ａ−１，１７ｂ−１への汚れの付着堆積度合いやフィルタ面１１ａへの付着堆積度合いなどを判定するとともに、汚れが付着堆積していると判定したときに、フィルタ清掃装置Ｂのモータ１６ａを逆回転させるマイクロコンピュータ２００とを備えて構成されている。
【００８０】
センサ５４は、フィルタ部材１１を駆動回転させての清掃中に、例えば、モータ１６ａの出力軸３０の回転角速度を検知するように、出力軸３０に位置して配置される。
【００８１】
なお、センサ５４によるフィルタ部材１１の回転角速度の検知としては、モータ１６ａの出力軸３０以外に、例えば、フィルタ部材１１の回転中心部をフィルタケース１５内に回転可能に支持する回転支軸部材１３やフィルタ面１１ａ，１１ｂなどによって直接検知することもできる。
【００８２】
マイクロコンピュータ２００には、図１１に示すように、センサ５４により検知された検知回転角速度値ωtと、予め定められている設定回転角速度値ω0とを比較する判定手段２０１と、この判定手段２０１により検知回転角速度値ωtが設定回転角速度値ω0より小さいと判定されたときに、フィルタ清掃装置Ｂのモータ１６ａを逆回転させてフィルタ部材１１を逆転運転させる設定時間Ｔが経過したときにモータ１６ａを停止させる逆転運転制御手段２０２と、この逆転運転制御手段２０２によりフィルタ部材１１が逆転運転を開始したときに、動作を開始して設定時間Ｔをカウントするタイマ手段２０３、などの各機能が内蔵されている。
センサ５４、判定手段２０１、逆転運転制御手段２０２、タイマ手段２０３は、フィルタ清掃装置Ｂに運転中に機能するように設定されている。
【００８３】
判定手段２０１は、センサ５４から出力されてくる検知回転角速度値ωtと、予め定められている設定回転角速度値ω0とを比較し、検知回転角速度値ωtが設定回転角速度値ω0よりも小さいときに、第１，第２の付着物除去部材１７ａ，１７ｂの先端側１７ａ−１，１７ｂ−１に汚れが付着堆積およびフィルタ部材１１に汚れが付着堆積していると判定し、フィルタ清掃装置Ｂのモータ１６ａを逆回転させるモータ逆回転信号を逆転運転制御手段２０２に出力するように構成されている。
【００８４】
逆転運転制御手段２０２は、判定手段２０１から出力されてくるモータ逆回転信号に基づいてモータ１６ａを逆回転させ、タイマ手段２０３から出力されてくるカウント信号（モータ停止信号）によりモータ１６ａの逆転回転を停止するように構成されている。
【００８５】
タイマ手段２０３は、逆転運転制御手段２０２によってフィルタ清掃装置Ｂのモータ１６ａが逆回転してフィルタ部材１１が逆転運転を開始した時点で動作を開始し、予め定められている設定時間Ｔ（例えば、３〜５分位）をカウントするように構成されている。
【００８６】
［作用説明］
つぎに、このように構成されているフィルタ監視制御装置５３を備えているフィルタ清掃装置Ｂを適用させた本実施形態に係るレンジフードＡについて説明する。
図１２は、フィルタ監視制御装置によるフィルタ部材の回転角速度の監視動作の一例を示すフローチャートである。
フィルタ清掃装置Ｂの運転中、フィルタ部材１１を駆動回転させるモータ１６ａの出力軸３０の回転角速度がセンサ５４によって検知され、判定手段２０１により検知回転角速度値ωtと設定回転角速度値ω0とを比較することをフィルタ監視制御装置５３によって逐次実行させる。
具体的に述べると、モータ１６ａによりフィルタ部材１１を駆動回転させて、フィルタ面１１ａにそれぞれ圧接されている付着物除去手段１７の第１，第２の付着物除去部材１７ａ，１７ｂとによってフィルタ面１１ａから汚れを取り除くフィルタ部材１１の清掃中、モータ１６ａの出力軸３０の回転角速度がセンサ５４によって検知され（ステップ５５）、検知された検知回転角速度値ωtは、判定手段２０１へと出力される。判定手段２０１に検知回転角速度値ωtが入力されてくると、判定手段２０１による検知回転角速度値ωtと設定回転角速度値ω0とを比較する判定が実行される（ステップ５６）。
【００８７】
判定手段２０１によって、検知回転角速度値ωtが設定回転角速度値ω0よりも小さいと判定（ＹＥＳと判定）されると（ステップ５６）、第１、第の付着物除去部材１７ａと第２の付着物除去部材１７ｂに、フィルタ面１１ａから取り除かれた汚れが付着堆積していると判定し（ステップ５７）、逆転運転制御手段２０２に運転開始信号が出力される。
逆転運転制御手段２０２は、判定手段２０１から運転開始信号が入力されてきた時点で、フィルタ清掃装置Ｂのモータ１６ａを逆回転させる。つまり、フィルタ部材１１の駆動回転を逆回転させる。このとき、検知回転角速度値ωtが設定回転角速度値ω0より小さくないと判定（ＮＯと判定）されると、ステップ５５に戻される。
【００８８】
モータ１６ａの逆回転によりフィルタ部材１１の駆動回転が逆回転を開始すると、タイマ手段２０３は、動作を開始し、フィルタ部材１１を逆回転させる逆転運転の設定時間Ｔのカウントを実行する（ステップ５８）。
【００８９】
タイマ手段２０３によるフィルタ部材１１の逆転運転の設定時間Ｔのカウントが実行され、設定時間Ｔに達すると、タイマ手段２０３から逆転運転制御手段２０２に運転停止信号が出力される。逆転運転制御手段２０２は、タイマ手段２０３から逆転運転停止信号が入力されてきた時点で、フィルタ清掃装置Ｂのモータ１６ａの逆回転を停止する。
このとき、フィルタ部材１１の逆回転による第１，第２の付着物除去部材１７ａ，１７ｂに対する汚れの付着堆積度合いが改善されず、判定手段２０１から逆転運転制御手段２０２に運転開始信号が出力されてくると、タイマ手段２０３によるフィルタ部材１１の逆転運転の設定時間Ｔがカウント実行された場合でも、モータ１６ａは停止することなく、継続してフィルタ部材１１の駆動回転を逆回転させる。
【００９０】
このように、フィルタ監視制御装置５３を備えているフィルタ清掃装置Ｂを適用させた本実施形態に係るレンジフードＡによれば、フィルタ面１１ａから汚れを取り除くときのフィルタ部材１１の回転角速度を検知して、その検知結果によってフィルタ部材１１の駆動回転を自動的に逆回転させることができので、フィルタ面１１ａから取り除かれて付着物除去部材１７ａ，１７ｂの先端側１７ａ−１，１７ｂ−１に付着堆積した汚れや異物などを、当該先端側１７ａ−１，１７ｂ−１から取り除くことができる。
これにより、フィルタ面１１ａから汚れを取り除く清掃機能を低下させることなく、長期間にわたり使用を継続させることができる。つまり、使用者に対するメンテナンスなどの手間を軽減させることができる。
また、フィルタ部材１１を駆動回転させるモータ１６ａへの過剰負荷などを抑えて、過剰負荷によるモータ１６ａの短期間での故障を防ぐことができる。つまり、モータ１６ａの耐用年数を延ばすことができるなどの効果を期待することができる。
【００９１】
≪第２の実施形態に係る付着物除去手段の構成≫
つぎに、第２の実施形態に係る付着物除去手段６０について説明する。
図１３は、第２の実施形態に係る付着物除去手段を示す斜視図および断面図である。
なお、この第２の実施形態に係る付着物除去手段６０は、図１３の（ａ）および（ｂ）に示すように、第１の付着物除去部材６０ａおよび第２の付着物除去部材６０ｂの形態を変え、なおかつ、この第１の付着物除去部材６０ａと第２の付着物除去部材６０ｂとのそれぞれの先端側６０ａ−１，６０ｂ−１をフィルタ部材１１のフィルタ面１１ａにそれぞれ圧接させる手法として、第１，第２両付着物除去部材６０ａ，６０ｂの間にわたり弾装されるバネ材６１によって行う構成を採用している。それ以外の構成要素は前記の第１の実施形態と基本的に同じことから同じ符合を付することで重複説明は省略する。
【００９２】
すなわち、第１の付着物除去部材６０ａは、図１３の（ｂ）に示すように、支持部材６０ｃ内に回動可能に支持された状態において、後端側の回動軸支部６２から第２の付着物除去部材６０ｂが移動可能に組み込まれる方向に向けて延設させたバネ受け腕辺部６３を備えている。
このバネ受け辺部６３には、第２の付着物除去部材６０ｂ側に備えられる後記のバネ取付け凹部６５と対向する位置にバネ材６１の他端側が固着されるバネ取付け凹部６４が備えられている。
【００９３】
一方、第２の付着物除去部材６０ｂは、先端側６０ｂ−１を幅方向両側に分離させ、さらにその分離部分を略ヘラ形状に形成してなる形状を呈している。そして、第２の付着物除去部材６０ｂは、支持部材６０ｃに支持される後端側の端面における長手方向両側に、前記第１の実施例詳述の第２の付着物除去部材１７ｂのバネ取付け凹部３８と同じバネ取付け凹部６５を備えている。
【００９４】
支持部材６０ｃは、前記第１の実施例詳述の支持部材１７ｃと基本的に同じ構造（形状）を呈している。
【００９５】
このように形成されている第２の付着物除去手段６０によれば、第１の付着物除去部材６０ａの先端側６０ａ−１と第２の付着物除去部材６０ｂの先端側６０ｂ−１のフィルタ部材１１のフィルタ面１１ａに対する圧接を同じ状態に保つことができる。つまり、先端側６０ａ−１，６０ｂ−１は、均一（均等）なバネ圧によってフィルタ部材１１のフィルタ面１１ａに圧接される。
また、第２の付着物除去部材６０ｂの先端側６０ｂ−１は、第１の付着物除去部材６０ａの先端側６０ａ−１と略同じヘラ形状としていることで、第１の付着物除去部材６０ａによる汚れの掻き落し除去後においてフィルタ面１１ａに付着残留している油脂分や塵埃などの汚れを掻き落すように取り除くことができる。
【００９６】
≪第３の実施形態に係る付着物除去手段の構成≫
つぎに、第３の実施形態に係る付着物除去手段７０について説明する。
図１４は、第３の実施形態に係る付着物除去手段を示す斜視図および断面図であり、図１５は、付着物除去手段の下側ケース部の取付け部への取付け状態を示す斜視図であり、図１６は、同取り付けた状態を示す平面図および要部を拡大して示す断面図である。
なお、この第３の実施形態に係る付着物除去手段７０は、図１４の（ｂ）に示すように、第１の付着物除去部材７０ａの形態を変え、なおかつ、図１６の（ｂ）に示すように、支持部材７０ｃをフィルタケース１５の取付け部２１ｂ側に回転可能に装着してなる構成を採用している。それ以外の構成要素は前記の第１および第２の実施形態と基本的に同じことから同じ符合を付することで重複説明は省略する。
【００９７】
すなわち、第１の付着物除去部材７０ａは、図１４の（ｂ）に示すように、円筒形状に形成されている後端側７０ａ−２の回動軸支部７２から略ヘラ形状の先端側７０ａ−１を形成してなる形状を呈している。
【００９８】
そして、支持部材７０ｃは、第２の付着物除去部材７０ｂが移動可能に装着されている一側長辺側に位置させた両側短辺に回転枢着凸部７３を備えている。
これにより、支持部材７０ｃは、図１５に示すように、下側ケース１５ｂの取付け開口部２３の一側長辺開口縁側における両側短辺口縁側位置して折り曲げ垂設されている両側の回転支持部７４の間に回転可能で、かつ、バネ材７５によって、第１の付着物除去部材７０ａが装着されている他側長辺側がフィルタ部材１１の方向に常時付勢されるように下側ケース部１５の取付け部２１ｂに装着されるようになっている。
つまり、支持部材７０ｃは、図１６の（ｂ）に示すように、第１の付着物除去部材７０ａのバネ材７６による回転付勢方向に対して逆向き回転方向に常時付勢されて、両側の枢着部Ｐを支点とする回転によって第１の付着物除去部材７０ａが装着されている他側長辺側が、取付け開口部２３の他側長辺開口縁の縁辺面に対して接離自在（実線の状態と二点鎖線の状態）となるように取付け部２１ｂに装着される。
【００９９】
また、支持部材７０ｃは、図１５および図１６に示すように、フィルタ部材１１の外周側に位置する一側短辺側に、フィルタ部材１１方向に向けて突出させた回転動作凸部７７を備えている。
この回動動作凸部７７は、フィルタ部材１１側に備えられる後記の回転起動凸部７８に、フィルタ部材１１の駆動回転のもとで乗り上げることで、支持部材７０ｃが枢着部Ｐを支点としてバネ材７５による回転付勢方向に抗して回動するように、支持部材７ｃの一側端側に形成されている。
【０１００】
回転起動凸部７８は、第２の歯車３２に取り付けられているフィルタ部材１１の外周の１乃至数ヶ所、図示例では、１ヶ所に略山形凸状に設けられて、フィルタ部材１１が一回転する毎に、支持部材７０ｃの回動動作凸部７７の乗り上がることを繰り返すようにしている。
【０１０１】
また、支持部材７０ｃの回動動作凸部７７が回動起動凸部７８に乗り上げり、支持部材７０ｃが枢着部Ｐを支点とする回転付勢方向に抗する方向に回転動作したときに（図１６（ｂ）の二点鎖線の状態）、第１の付着物除去部材７０ａの先端側７０ａ−１を接触させて、当該先端側７０ａ−１に付着している汚れ（付着物）を払い落とす接触部７９を、取付け開口部２３の他側長辺開口縁に沿って備えている。
【０１０２】
接触部７９は、支持部材７０ｃが回転可能で、バネ材７５によってフィルタ部材１１方向に回転付勢させるように軸支装着されている取付け開口部２３の一側長辺開口縁に対し、対向する反対側の他側長辺開口縁に沿って折り曲げ形成されている。
これにより、支持部材７０ｃの回転動作凸部７７が回転起動凸部７８に乗り上げたときの軸支部Ｐを支点とする回転付勢方向に抗した支持部材７０ｃの回転動作によって、フィルタ面１１ａから離れる第１の付着物除去部材７０ａの先端側７０ａ−１を、該付着物除去部材７０ａの回転付勢方向の回転によって接触させて、当該先端側７０ａ−１に付着している付着物を払い落とすように構成している。
【０１０３】
［作用の説明］
つぎに、以上のように構成されている第３の付着物除去手段７０を備えているフィルタ清掃装置Ｂが適用された本実施形態に係るレンジフードＢについて簡単に説明する。
図１７は、フィルタ部材の駆動回転に伴う第３の付着物除去手段７０の動きを示す概略説明図である。
まず、前記した実施例形態詳述のように、汚染空気Ｇ中からフィルタ面１１ａに回収付着されている油脂分や塵埃などの汚れ（付着物）が、駆動回転するフィルタ部材１１の一回転中に、図１７の（ａ）および（ｂ）に示すように、フィルタ部材１１(フィルタ面１１ａ)にバネ材７６によって圧接されている第１の付着物除去部材７０ａの先端側７０ａ−１によって掻き落すように取り除かれ、図１７の（ｃ）に示すように、第１の付着物除去部材７０ａの先端側７０ａ−１に付着堆積する。
【０１０４】
そして、フィルタ部材１１の駆動回転によって、その外周に備えられている回転起動凸部７８が、図１７の（ａ）に示すように、二点鎖線の位置から実線の位置へと移動されてきて支持部材７０ｃの回転動作凸部７７へと接近する。すると、図１７の（ｂ）に示すように、回転動作凸部７７が回転起動凸部７８に乗り上げ始める。
回転動作凸部７７が回転起動凸部７８に乗り上がり始めると、支持部材７０ｃは、図１７の（ｂ）〜（ｄ）に示すように、軸支部Ｐを支点とする回転付勢方向に抗した回転動作方向に徐々に回転する動作を開始する。すると、フィルタ部材１１（フィルタ面１１ａ）に圧接されていた第１の付着物除去部材７０ａの先端側７０ａ−１がフィルタ部材１１から徐々に離れる動作を開始する。
先端側７０ａ−１がフィルタ部材１１から離れると、第１の付着物除去部材７０ａは、図１７の（ｂ）に示すように、バネ材７６による回転付勢方向に回転し始め、同回転付勢方向に存在している接触部７９に接触する。
【０１０５】
そして、さらに継続する回転動作凸部７７の回転起動凸部７８への乗り上がりが、図１７の（ｄ）および（ｅ）に示すように、回転起動凸部７８の頂部へと近づき、軸支部Ｐを支点とする回転付勢方向に抗した支持部材７０ｃのさらなる回転動作によって、第１の付着物除去部材７０ａの先端側７０ａ−１に付着堆積していた汚れが、接触部７９との接触によって先端側７０ａ−１から払い落とされる。
先端側７０ａ−１から払い落とされた汚れ（付着物）は、図１７の（ｆ）に示すように、下方のオイルトレイ２５に落下して回収される。
以後、前記動作が、駆動回転するフィルタ部材１１の一回転ごとに繰り返される。つまり、フィルタ部材１１の駆動回転中（フィルタ面１１ａの清掃中）において、フィルタ部材１１の一回転ごとに、フィルタ面１１ａから取り除かれて第１の付着物除去部材７０ａの先端側７０ａ−１に付着堆積した付着物を払い落としながらフィルタ面１１ａから汚れを取り除く清掃を継続させることができる。
【０１０６】
なお、本発明の実施形態の具体的な構成は、前記した各実施形態に限られるものではなく、請求項１から請求項１６に記載の本発明の要旨を逸脱しない範囲で設計変更などがあっても本発明に含まれるものである。
例えば、駆動手段１６を構成する動力伝達機構１６ｂを、モータ１６ａの出力軸３０に小径のプーリーを取り付け、フィルタ部材１１の外周には大径なプーリーを取り付けて、両プーリーにＶベルトやタイミングベルトを巻回架け渡す、または、小径なスプロケット、大径なスプロケットをそれぞれ取り付けて、両スプロケットにチェーンを巻回架け渡すなどによって構成することができる。
また、モータ１６ａを、減速歯車機構を備えているものとすることができる。
【０１０７】
また、付着物除去手段１７，６０，７０を、フィルタ部材１１の回転中心部からその外周に至るフィルタ部材１１の半径直線上に対して、フィルタ部材１１（フィルタ面１１ａ）と平行とする斜め線上に位置させて配設することができる。
【０１０８】
また、回転動作凸部７７の乗り上がりによって支持部材７０ａに回転動作を起させる回転起動凸部７８のフィルタ部材１１の外周に対する配設を、フィルタ部材１１に中心を通る対角線上の２ヶ所に設けるなど数ヶ所に配設することができる。
【０１０９】
また、フィルタ部材１１の駆動回転の逆転は、汚れを取り除くフィルタ面１１ａ，１１ｂの清掃後に、所定の回転数または所定の時間逆転するように設定することができる。また、フィルタ面１１ａ，１１ｂの清掃中にフィルタ部材１１の駆動回転（正転）と交互に、１乃至数回または所定の時間逆転するように設定することができる。
また、スイッチ操作部９にフィルタ逆転用スイッチを備えて、使用者によるＯＮ操作によってフィルタ部材１１が所定の回転数または所定の時間逆転するように設定することができる。
【符号の説明】
【０１１０】
Ａ      レンジフード
Ｂ      フィルタ清掃装置
１      フード部
２      送風機
７      吐出し口
８      吸込み口
１０    排気風路
１１    フィルタ部材
１１ａ，１１ｂ  フィルタ面
１１−１  通気孔
１５    フィルタケース
１５ａ  上側ケース部
１５ｂ  下側ケース部
１６    駆動手段
１６ａ  モータ
１６ｂ  動力伝達機構
１７，６０，７０  付着物除去手段
１７ａ，６０ａ，７０ａ  第１付着物除去部材
１７ｂ，６０ｂ，７０ｂ  第２付着物除去部材
１７ｃ，６０ｃ，７０ｃ  支持部材
２１ａ，２１ｂ  取付け部
２３    取付け開口部
３０    出力軸（モータ）
３１    第１の歯車
３２    第２の歯車
５２    連動運転制御装置
５３    フィルタ監視制御装置（制御装置）
７７    回転動作凸部
７８    回転起動凸部
７９    接触部
Ｇ      汚染空気
【図１】
0005502589.tif 000002
【図２】
0005502589.tif 000003
【図３】
0005502589.tif 000004
【図４】
0005502589.tif 000005
【図５】
0005502589.tif 000006
【図６】
0005502589.tif 000007
【図７】
0005502589.tif 000008
【図８】
0005502589.tif 000009
【図９】
0005502589.tif 000010
【図１０】
0005502589.tif 000011
【図１１】
0005502589.tif 000012
【図１２】
0005502589.tif 000013
【図１３】
0005502589.tif 000014
【図１４】
0005502589.tif 000015
【図１５】
0005502589.tif 000016
【図１６】
0005502589.tif 000017
【図１７】
0005502589.tif 000018